(57)【要約】【課題】両開き扉の閉扉時、他方の扉が一方の扉の戸当たりユニットに当たった際の反発力を小さくする。【解決手段】両開きガラス扉の一方の扉１１ａに取り付けられ、閉扉時に他方の扉１１ｂが当たる面付錠の戸当たり構造であって、一方の扉１１ａの室内面に設けられるストライクユニット２７と、ストライクユニット２７とによって一方の扉１１ａを挟んで室外面に設けられる戸当たりユニット２５と、を備え、戸当たりユニット２５が、室外面に取り付けられる本体５１と、本体５１の内部に固定されるブロック７１と、弾性材よりなりブロック７１に当接して枠体６５を介し本体５１に保持され他方の扉１１ｂと当たる表面が平坦面に形成されるとともにブロック７１に当接する裏面が凹凸面で形成される戸当たり板４５と、を備えた。【選択図】  図８
2010255376.tif 000002
【特許請求の範囲】
【請求項１】
両開きガラス扉の一方の扉に取り付けられ、閉扉時に他方の扉が当たる面付錠の戸当たり構造であって、
前記一方の扉の室内面に設けられ前記他方の扉から突出される錠ボルトを受け入れるストライクユニットと、該ストライクユニットとによって前記一方の扉を挟んで室外面に設けられる戸当たりユニットと、を備え、
前記戸当たりユニットが、
前記室外面に取り付けられる本体と、
該本体の内部に固定されるブロックと、
弾性材よりなり該ブロックに当接して枠体を介し前記本体に保持され前記他方の扉と当たる表面が平坦面に形成されるとともに前記ブロックに当接する裏面が凹凸面で形成される戸当たり板と、
を具備することを特徴とする面付錠の戸当たり構造
【請求項２】
請求項１記載の面付錠の戸当たり構造であって、
前記ブロックに当接する前記戸当たり板の裏面が、複数のアーチ状凹曲面を並設した凹凸面で形成されることを特徴とする面付錠の戸当たり構造。
【発明の詳細な説明】
【技術分野】
【０００１】
本発明は、面付錠の戸当たり構造に関し、特に、両開き扉において、閉扉時、他方の扉が一方の扉の戸当たりユニットに当たった際の反発力を小さくする改良技術に関する。
【背景技術】
【０００２】
近年、ガラス素材の強度向上によって全面ガラス扉が多用されるようになってきている。全面ガラス扉は、例えばオフィスビルの玄関や店舗の入り口に設置される場合、施錠装置を設ける必要がある。従来、この種の全面ガラス扉に施錠装置を設けるには、吊元金具や、上框、下框、或いは中央部に付設した金属枠部に施錠装置を設けるのが一般的であった。
ところが、施錠装置を設けるために金属枠部分を付設するのでは、折角の全面ガラス扉の意匠性を低下させることがあり、好ましくはこれら金属枠部分が設けられない方が良い。
このような不具合を解消するものに、扉ガラス素材に直接穿設した取付穴を利用して、施錠装置のみを全面ガラス扉に取り付けた特許文献１のドア錠が提案されている。
このドア錠によれば、全面ガラス扉に施錠装置を設けるための金属枠部を付設せずに、全面ガラス扉の開閉端にドア錠のみを取り付けでき、全面ガラス扉の意匠性を損ねず、見栄えを向上させることができた。
【先行技術文献】
【特許文献】
【０００３】
【特許文献１】特表２００２−５２３６６０号公報
【特許文献２】特開２００５−２９９２８９号公報
【発明の概要】
【発明が解決しようとする課題】
【０００４】
上記した従来のドア錠は、扉ガラス素材に直接穿設した取付穴を利用して取付けできることから、金属枠部分を付設する場合に比べ、全面ガラス扉の意匠性を低下させずに済む。ところで、両開き扉では、他方の扉に取り付けたドア錠としての面付錠から突出する錠ボルトを受け入れるストライクを、一方の扉に取り付ける必要がある。この場合、他方の扉を、一方の扉に設けた戸当たりに当て、２枚の扉が召し合わされるが、閉扉時に戸当たりに当たる他方の扉には反発力が作用する。
閉扉の際は、錠ボルトがストライクに進入し、係止状態となり、且つその係止状態は、なるべくガタつきを有さないことが望まれる。このことから、反発力が作用するとストライクに対して負担となり、騒音が発生したり、ストライクや錠ボルトを損傷したりする虞が生じる。特に、扉の高さ方向の全縁部に渡って戸当たりパッキン等があれば（例えば特許文献２参照）、その長さで衝撃を受けることが可能であるが、面付錠のみで受ける上記全面ガラス扉の場合、戸当たりのみで集中して衝撃を受けることとなり、反発の小さい面付錠の戸当たり構造が望まれる
【０００５】
本発明は上記状況に鑑みてなされたもので、両開きガラス扉において、閉扉時、他方の扉が一方の扉の戸当たりに当たった際の反発力を小さくできる面付錠の戸当たり構造を提供し、もって、通常閉扉時における消音効果の向上を図ることを目的とする。
【課題を解決するための手段】
【０００６】
次に、上記の課題を解決するための手段を、実施の形態に対応する図面を参照して説明する。
本発明の請求項１記載の面付錠の戸当たり構造は、両開きガラス扉１１の一方の扉１１ａに取り付けられ、閉扉時に他方の扉１１ｂが当たる面付錠１００の戸当たり構造であって、
前記一方の扉１１ａの室内面に設けられ前記他方の扉１１ｂから突出される錠ボルト３７を受け入れるストライクユニット２７と、該ストライクユニット２７とによって前記一方の扉１１ａを挟んで室外面に設けられる戸当たりユニット２５と、を備え、
前記戸当たりユニット２５が、
前記室外面に取り付けられる本体５１と、
該本体５１の内部に固定されるブロック７１と、
弾性材よりなり該ブロック７１に当接して枠体６５を介し前記本体５１に保持され前記他方の扉１１ｂと当たる表面が平坦面に形成されるとともに前記ブロック７１に当接する裏面が凹凸面８５で形成される戸当たり板４５と、
を具備することを特徴とする。
【０００７】
この面付錠の戸当たり構造では、他方の扉１１ｂが閉められ、戸当たりユニット２５の戸当たり板４５に当たると、弾性材よりなる戸当たり板４５が厚み方向に圧縮される。この際、扉１１ｂが当たる平坦な面の戸当たり板４５の表面積よりも、凹凸面８５となった裏面の面積が小さく複数となるため、ブロック７１に当接する複数の凸部、つまり脚部８９に閉扉力が集中し、互いの空間となる凹部８７にて脚部８９がそれぞれに圧縮変形、すなわち圧力分散となる。他方の扉１１ｂが戸当たり板４５から受ける反発力は、裏面が凹凸面８５でない場合に比べ、この脚部８９を圧縮変形可能なことで低減される。
【０００８】
請求項２記載の面付錠の戸当たり構造は、請求項１記載の面付錠の戸当たり構造であって、
前記ブロック７１に当接する前記戸当たり板４５の裏面が、複数のアーチ状凹曲面８７を並設した凹凸面で形成されることを特徴とする。
【０００９】
この面付錠の戸当たり構造では、戸当たり板４５の裏面がアーチ構造のようなアーチ状凹曲面８７となるので、脚部８９が先端に向かって徐々に小断面積となり、小さな閉扉力に対しては先端側の小断面積部分が圧縮変形し、大きな閉扉力に対しては基端側の大断面積部分が圧縮変形し、また凹曲面８７の空間部分が圧縮変形時の逃げとなり、大きさの異なる広い範囲の閉扉力に対し圧縮変形が可能となる。
【発明の効果】
【００１０】
本発明に係る請求項１記載の面付錠の戸当たり構造によれば、戸当たりユニット本体にブロックが固定され、ブロックに当接する戸当たり板は、表面が平坦面に形成され、奥方のブロックに当接する裏面が凹凸面で形成されるので、閉扉時の他方の扉が当たった際の力をこの凹凸面で分散するようになり、この閉扉時の、他方の扉が戸当たりユニットに当たった際の反発力を小さくし、閉扉時における衝撃の吸収と消音効果を高めることができる。
【００１１】
請求項２記載の面付錠の戸当たり構造によれば、ブロックに当接する戸当たり板の裏面が、複数のアーチ状凹曲面を並設した凹凸面で形成されるので、閉扉時に加わる衝撃に対して表面の全面で受けた力を裏面側では分散し、且つそれぞれで圧縮変形を起こし、凹曲面部分で変形を許容して、反発力を小さくし、衝撃を吸収し、衝突音を抑え、大きさの異なる広い範囲の閉扉力に対して反発力吸収作用を発揮できる。
【図面の簡単な説明】
【００１２】
【図１】本発明に係る戸当たり構造を備えたガラス扉の正面図である。
【図２】図１のＡ−Ａ断面図である。
【図３】図２のストライクユニット及び戸当たりユニットの拡大図である。
【図４】図３に示した戸当たりユニットの裏面から見た斜視図である。
【図５】図３のＢ−Ｂ断面図である。
【図６】図５のＣ−Ｃ断面図である。
【図７】戸当たり板の側面図である。
【図８】閉扉時の力の伝わりを説明する要部平断面図である。
【発明を実施するための形態】
【００１３】
以下、本発明の実施の形態を図面を参照して説明する。
図１は本発明に係る戸当たり構造を備えたガラス扉の正面図である。
本実施の形態による面付錠の戸当たり構造は、開閉体である例えば両開きの全面ガラス扉に好適に用いることができる。この他、面付錠の戸当たり構造は、片開きの全面ガラス扉、両開き・片開きのスチール扉等にも用いることができる。本実施の形態では、面付錠の戸当たり構造が両開きの全面ガラス扉１１（１１ａ，１１ｂ）に用いられる例を説明する。
【００１４】
建物開口の左右にはガラスパネル１３，１３が設けられ、ガラスパネル１３，１３は開口サッシ等に取付固定されている。ガラスパネル１３，１３に挟まれる出入口開口部には上記した一対の全面ガラス扉１１ａ，１１ｂがヒンジ１５，１５を介して開閉自在に支持される。全面ガラス扉１１ａ，１１ｂは、例えば一方のガラス扉１１ａが不図示の規制手段にて開閉が規制され、他方のガラス扉１１ｂが室内側（図２の下側）へ開放可能となる。ガラス扉１１の召合１７には面付錠１００が取り付けられる。
【００１５】
図２は図１のＡ−Ａ断面図である。
面付錠１００は、他方のガラス扉１１ｂの戸先を挟んで取り付けられる室外側錠ユニット２１と、室内側錠ユニット２３と、一方のガラス扉１１ａの戸先を挟んで取り付けられる室外側の戸当たりユニット２５と、室内側のストライクユニット２７と、から構成される。
【００１６】
室外側錠ユニット２１には、レバーハンドル３１、シリンダー錠（図示せず）等が設けられる。室内側錠ユニット２３には、レバーハンドル３３、サムターン３５、進退自在な錠ボルト３７が設けられる。錠ボルト３７は、ラッチボルト兼デッドボルトの機能を有し、レバーハンドル３１，３３の回動操作にて進退が可能となるとともに、シリンダー錠及びサムターン３５の操作にて進退が規制・規制解除されて施解錠が行えるようになっている。室内側錠ユニット２３から突出する錠ボルト３７は、ストライクユニット２７のストライク穴３９（図６参照）へ進入係止される。
【００１７】
全面ガラス扉１１ａ，１１ｂは、他方のガラス扉１１ｂに設けられた錠ボルト３７が、サムターン３５等の施錠操作により、一方のガラス扉１１ａに設けられたストライクユニット２７へ係止すれば、双方が開閉規制された施錠状態となる。サムターン３５等の解錠操作により施錠が解除されれば、レバーハンドル３１，３３により錠ボルト３７が後退可能となり、他方のガラス扉１１ｂが開放可能となる。
【００１８】
図３は図２のストライクユニット及び戸当たりユニットの拡大図である。
戸当たりユニット２５は、一方のガラス扉１１ａの木口端面４１よりも突出する戸当たり部４３を有する。戸当たり部４３の室内側の面には戸当たり板４５が表出し、戸当たり板４５は他方のガラス扉１１ｂの戸先室外面４２（図２参照）が当接する。図３中、４７はストライク穴３９を一体に形成するストライク板、４９はストライク板４７に形成されたボルト衝接片を示す。
【００１９】
図４は図３に示した戸当たりユニットの裏面から見た斜視図である。
戸当たりユニット２５は、本体である箱５１（図５参照）に、ケース５３が被せられて止めネジ５５，５５にて固定される。箱５１の扉取付面には台板５２（図６参照）が設けられ、台板５２にはさらに樹脂製ライナー５７が設けられる。ライナー５７には複数の透孔５９が穿設され、透孔５９は台板５２に固定されたゴム板６１を突出させる。戸当たりユニット２５は、ストライクユニット２７と、スタッド６３（図６参照）にて一方のガラス扉１１ａに挟持固定される。戸当たりユニット２５は、ゴム板６１を押圧して滑り止めされるとともに、ライナー５７の厚みで均等な取付高さにて一方のガラス扉１１ａに取付固定される。
【００２０】
図５は図３のＢ−Ｂ断面図である。
戸当たり部４３の室内面に表出する戸当たり板４５は、枠体である樹脂枠６５の内側開口６７に突出部６９が裏側から嵌合されて突出する。箱５１の内部にはブロック７１が固定され、ブロック７１は戸当たり板４５を裏側から支持する。ブロック７１の戸当たり板支持面７３と反対側の面７５には凹部７７が形成され、凹部７７は樹脂枠６５の係止部７９を係止する。
【００２１】
図６は図５のＣ−Ｃ断面図である。
ブロック７１は、ケース５３、箱５１と台板５２とに挟持され、表裏両側から不図示の固定ビスにて固定される。つまり、ケース５３、箱５１、ブロック７１、台板５２は、一体に固定される。箱５１にはスタッド６３の基端が加締め固定される。スタッド６３は、一方のガラス扉１１ａに穿設された取付貫通穴８１を介して反対側のストライクユニット２７に挿入され、ストライクユニット２７の室内側から挿入された固定ビス８３に先端の雌ネジ部（不図示）が螺合される。
【００２２】
図７は戸当たり板の側面図である。
戸当たり板４５は、ゴム等の弾性材よりなり、ブロック７１の戸当たり板支持面７３に当接して、樹脂枠６５を介し箱５１に保持される。戸当たり板４５は、他方のガラス扉１１ｂと当たる突出部６９の表面が、平坦面に形成される。一方、ブロック７１に当接する裏面が、凹凸面８５で形成される。
【００２３】
本実施の形態において、戸当たり板４５の凹凸面８５は、複数のアーチ状凹曲面８７を並設した凹凸面で形成される。戸当たり板４５は、裏面がアーチ構造のようなアーチ状凹曲面８７となるので、凸部分となる脚部８９が先端に向かって徐々に小断面積となる。脚部８９は、小さな閉扉力に対しては先端側の小断面積部分が圧縮変形し、大きな閉扉力に対しては基端側の大断面積部分までが圧縮変形する。すなわち、表面からの力を裏面側で各脚部が分散している。これにより、戸当たり板４５は、大きさの異なる広い範囲の閉扉力に対し圧縮変形が可能となる。すなわち、大きさの異なる広い範囲の閉扉力に対して、反発力の吸収作用を発揮できるようになされている。
【００２４】
次に、上記構成を有する戸当たり構造の作用を説明する。
図８は閉扉時の力の伝わりを説明する要部平断面図である。
戸当たりユニット２５では、端部に穿孔できないガラスの切欠き条件により、荷重点（戸当たり板４５）とスタッド６３までにある程度の距離を確保する必要がある。そのため、荷重点から固定ビス８３までにモーメントのような応力が働く。力の伝達は、戸当たり板４５に強い荷重Ｆがかかると、先ず、戸当たり板４５の凹凸面８５が撓む、或いは変形を起こし潰れる。
【００２５】
戸当たり板４５の凹凸面８５が潰れた後、潰れた戸当たり板４５から樹脂枠６５を介し、ブロック７１と箱５１とに荷重がかかる。箱５１、ブロック７１、台板５２はビスにて結合されているので、箱５１若しくはブロック７１に荷重がかかれば、台板５２にも荷重がかかる。最終的には箱５１と一体となるスタッド６３を介して、ストライクユニット２７の室内側から挿通された固定ビス８３にて荷重を受けることになる。なお、ブロック７１の図８の左右方向の全長が長いことは、固定ビス８３にかかる荷重を軽減させている。
【００２６】
ここで、仮に、戸当たり板４５に上記の凹凸形状（逃げ形状）がないと、戸当たり板４５が荷重を溜め込んでしまい、弾性復元力を反発として他方のガラス扉１１ｂへ返してしまう。同時に、直接的にスタッド６３へ向けて荷重を伝えれてしまう。これに対し、戸当たり板４５に凹凸面８５を設けた上記構成では、強い荷重Ｆがかかった時、凹凸面８５が潰れ、反発力を起こさず、戸当たり板４５に荷重を溜め込まずに、戸当たり板４５が変形することで減衰した力として樹脂枠６５を介し荷重をブロック７１、スタッド６３、固定ビス８３へ伝えて行く。
【００２７】
このように、強い荷重Ｆがかかったときには、先ず、戸当たり板４５が変形し、他の樹脂部材、金属部材に順次荷重がかかり、他部材に伝わった扉の衝撃エネルギーは、音、部品同士の摩擦、熱等により減少されて行く。このように、他方のガラス扉１１ｂが閉められ、戸当たり板４５に当たると、弾性材よりなる戸当たり板４５が先ず厚み方向に圧縮される。この際、戸当たり板４５の表面積よりも、凹凸面８５となった裏面の面積が小さいため、ブロック７１に当接する複数の脚部８９に閉扉力が集中し、脚部８９が圧縮変形する。他方のガラス扉１１ｂが戸当たり板４５から受ける反発力は、裏面が凹凸面８５でない場合に比べ、この脚部８９が圧縮変形されることで低減されることになる。
【００２８】
したがって、本実施の形態による面付錠１００の戸当たり構造によれば、戸当たりユニット本体である箱５１にブロック７１が固定され、ブロック７１に当接する戸当たり板４５は、表面が平坦面に形成され、ブロック７１に当接する裏面が凹凸面８５で形成されるので、閉扉時、他方のガラス扉１１ｂが戸当たりユニット２５に当たった際の反発力を小さくして、閉扉時における衝撃を弱め、消音効果を高めることができる。
【符号の説明】
【００２９】
１１…ガラス扉
１１ａ…一方の扉
１１ｂ…他方の扉
２５…戸当たりユニット
２７…ストライクユニット
３７…錠ボルト
４５…戸当たり板
５１…本体（箱）
６５…枠体（樹脂枠）
７１…ブロック
８５…凹凸面
８７…アーチ状凹曲面
１００…面付錠
【図１】
2010255376.tif 000003
【図２】
2010255376.tif 000004
【図３】
2010255376.tif 000005
【図４】
2010255376.tif 000006
【図５】
2010255376.tif 000007
【図６】
2010255376.tif 000008
【図７】
2010255376.tif 000009
【図８】
2010255376.tif 000010